(57)【要約】【課題】包装箱２において、製造コストの抑制を図りながらも、収納する商品１のがたつきを防止可能とするとともに、シート１ｃ付の商品１を収納する場合にシート１ｃの変形を防止可能とする。【解決手段】前板３の上側部位と左側板４および右側板５の各上側部位の一部とを内向きに倒すと、前板３の上辺と背板６の内面との間に隙間１２が設けられる。その状態からさらにロック板６ａを折り畳むと、押さえ片６ｂが前記倒された状態の前板３の外面を上から押さえつけるようになるとともに、係止片６ｃ，６ｄが隙間１２に入り込んで前記倒された状態の前板３の上辺に引っ掛けられる。前板３の下辺から前記倒れ起点までの高さを、商品１の高さと同じに設定した場合には、前記倒された状態の前板３の内面が商品１の上面に当接されるようになるので、商品１ががたつきにくくなるとともに、飛び出しにくくなる。【選択図】図１
2018083643.tif 000002
【特許請求の範囲】
【請求項１】
前板と左側板と右側板と背板とで囲まれる角筒形に形成されかつ上開口から商品が出し入れされる構成の包装箱であって、
前記前板の上側部位と、前記左側板および右側板の各上側部位の一部とが、内向きに倒されることによって前記上開口を覆うことが可能となるように形成されており、
前記背板の上辺には、当該背板の内面に対向する位置まで内向きに折り畳むことが可能なロック板が上向きに突き出すように連接されており、
前記前板の上側部位と前記左側板および右側板の各上側部位の一部とが倒された状態では、当該前板の上辺と前記背板の内面との間に隙間が設けられるように設定されており、
前記ロック板の先端辺には、前記前板の上側部位と前記左側板および右側板の各上側部位の一部とが倒された状態においてさらに前記ロック板が折り畳まれた状態において、前記倒された状態の前記前板の外面に当接される押さえ片が設けられているとともに、前記隙間に入り込んで前記倒された状態の前記前板の上辺に引っ掛けられる係止片が設けられている、ことを特徴とする包装箱。
【請求項２】
請求項１に記載の包装箱において、
前記前板の下辺から前記倒れの起点位置までの高さが、収納対象となる商品の高さと同じまたは近似値に設定されている、ことを特徴とする包装箱。
【請求項３】
請求項１または２に記載の包装箱において、
前記前板の上辺から下側に所定間隔離れた位置には、左右方向に沿う折り目が設けられており、
前記左側板および前記右側板の各上側部位には、前記前板の折り目の左端および右端から前記背板側へ向けて斜め上向きに延びる傾斜折り目が設けられており、
前記前板の上辺から前記折り目までの距離は、前記前板の内面から前記背板の内面までの間隔よりも小さく設定されている、ことを特徴とする包装箱。
【請求項４】
請求項１から３のいずれか１項に記載の包装箱において、
前記背板は、前記前板の上辺よりも上に張り出す大きさに設定されており、
前記左側板および前記右側板の各上側部位において前記背板寄りには、それぞれ前記前板の上辺よりも上に張り出して前記背板と連接される張り出し部が設けられている、ことを特徴とする包装箱。
【発明の詳細な説明】
【技術分野】
【０００１】
本発明は、前板と左側板と右側板と背板とで囲まれる角筒形に形成されかつ上開口から商品が出し入れされる構成の包装箱に関する。
【背景技術】
【０００２】
一般に、ストレートタッグカートンと呼ばれる包装箱は、角筒形に形成されており、その背板には、上開口を閉塞するための蓋が設けられている（例えば特許文献１参照）。
【０００３】
前記蓋は、前記上開口とほぼ同一大きさに形成されていて、その前端には、差込部が設けられている。
【０００４】
そして、前記蓋を閉じる場合には、当該蓋を倒して前記上開口を覆う状態にしてから、差込部を上開口に差し入れることにより、前記蓋を上開口に引っ掛けて、前記蓋が開きにくくなる。
【０００５】
ところで、前記のような包装箱内に商品を収納した状態において、前記商品の高さが前記包装箱の内部空間の高さよりも小さい場合には、前記商品の上部から前記包装箱の蓋までの間に空間ができてしまい、当該包装箱内で前記商品ががたつくことがある。
【０００６】
近年では、前記商品の上部に商品名称や説明文を記載したシートが貼着されることがある。このシートは、ポップ（Point of Purchase）シートまたはポップラベルと呼ばれるものであって、前記商品の上部から上向きに突き出した状態にされる。
【０００７】
このようなシート付き商品の場合には、前記シートが上向きに突き出している関係より、前記包装箱の内部空間の高さを前記商品そのものの高さよりも大きく設定する必要がある。そのため、前記包装箱の蓋から前記商品の上部までの間に空間ができてしまうために、当該包装箱内で前記商品ががたつくことが懸念される。
【０００８】
例えば特許文献２の包装箱は、角筒形に形成されており、その背板に外蓋を連接するとともに、前板に内蓋と抑え部材とを連接し、前記内蓋と抑え部材とで、前記包装箱と前記商品との間の空間を埋めるようにすることにより、前記商品のがたつきを防ぐようにしている。
【０００９】
しかしながら、上記特許文献２に示される包装箱は、前記商品のがたつきを防ぐことができるものの、前記のようなシート付の商品を前記包装箱に収納するような場合には、前記内蓋および抑え部材を倒したときに、それらが前記シートを折り曲げたり、圧迫して変形させたりすることが懸念される。
【００１０】
たとえば特許文献３に示される包装箱は、角筒形の収容部の上開口に内向きに倒されることにより商品の上面を押さえる押さえ部を設け、前記のようなシートの折れ曲がりや変形を防ぐように構成している。
【先行技術文献】
【特許文献】
【００１１】
【特許文献１】実用新案登録第２５００５６３号公報
【特許文献２】特開２０１４−２１３８８２号公報
【特許文献３】特開２０１４−２１３９０９号公報
【発明の概要】
【発明が解決しようとする課題】
【００１２】
上記特許文献３に示される包装箱は、前記シートの折れ曲がりや変形を防ぐことができるものの、前記収容部の背板の上に連接されるカバー部を前下向きに折り畳むことにより前記収容部の上開口を覆い隠すようにしたうえで、前記カバー部の差し込み片を前記収容部の前板の上辺寄りに設けた差し込み口に差し込むことにより前記カバー部が簡単に開かないようにしている。
【００１３】
このように、前記収容部の上開口を前記カバー部で覆う形態にしているので、当該カバー部の開き防止のための前記差し込み片や前記差し込み口が必要になっており、そのため、包装箱の製造コストが嵩むことが懸念される。ここに改良の余地がある。
【００１４】
このような事情に鑑み、本発明は、製造コストの抑制を図りながらも、収納する商品のがたつきを防止可能とするとともに、前記シート付の商品を収納する場合に前記シートの変形を防止可能とすることを目的としている。なお、本明細書でいう「製造コスト」とは、「包装箱自体の原料コスト」と、「包装箱に商品を収納し組み立てる（梱包する）コスト、所謂、組み立て作業コスト」との両方を含むことを意味している。
【課題を解決するための手段】
【００１５】
本発明は、前板と左側板と右側板と背板とで囲まれる角筒形に形成されかつ上開口から商品が出し入れされる構成の包装箱であって、前記前板の上側部位と、前記左側板および右側板の各上側部位の一部とが、内向きに倒されることによって前記上開口を覆うことが可能となるように形成されており、前記背板の上辺には、当該背板の内面に対向する位置まで内向きに折り畳むことが可能なロック板が上向きに突き出すように連接されており、前記前板の上側部位と前記左側板および右側板の各上側部位の一部とが倒された状態では、当該前板の上辺と前記背板の内面との間に隙間が設けられるように設定されており、前記ロック板の先端辺には、前記前板の上側部位と前記左側板および右側板の各上側部位の一部とが倒された状態においてさらに前記ロック板が折り畳まれた状態において、前記倒された状態の前記前板の外面に当接される押さえ片が設けられているとともに、前記隙間に入り込んで前記倒された状態の前記前板の上辺に引っ掛けられる係止片が設けられている、ことを特徴としている。
【００１６】
この構成において、前記前板の下辺から前記倒れ起点までの高さを、収納対象となる商品の高さと同じに設定した場合には、前記倒された状態の前板の内面が前記商品の上端に当接する状態になる。これにより、前記商品ががたつきにくくなるとともに、飛び出しにくくなる。
【００１７】
また、前記のように前板の上側部位と左側板および右側板の各上側部位の一部とを倒した状態において、前記ロック板を折り畳むと、当該ロック板の押さえ片が既に倒されている前記前板の外面を上から押さえつけるようになるとともに、前記係止片が前記隙間内に入り込んで前記前板の上辺に引っ掛けられるようになる。
【００１８】
これにより、前記前板の上側部位と前記左側板および前記右側板の各上側部位の一部とが元の姿勢に戻りにくくなるので、前記商品のがたつきと飛び出しを防ぐ効果が増すようになる。しかも、例えば前記包装箱が上下逆さまにされたときでも、前記前板の上側部位と前記左側板および前記右側板の各上側部位の一部とが元の姿勢に戻りにくくなるので、商品の保持性が向上する。
【００１９】
ところで、前記包装箱に収納する商品として、当該商品の上部に、商品名称や説明文を記載したシートが貼着されたものがあるが、このようなシートは前記商品の上部から上向きに突き出した状態になっているので、前記シート付の商品を前記包装箱に収納するにあたっては、前記シートを前記背板側に沿わせるように配置する形態で前記商品を前記包装箱内に収納すれば、前記前板の上側部位と前記左側板および前記右側板の各上側部位の一部とを倒したときに、前記シートが前記隙間内に配置されることになって、前記シートに前記前板が干渉しなくなる。
【００２０】
このように、前記シート付の商品を前記包装箱に収納した場合であっても、前記シートが従来例で説明したように折り曲げられたり、変形されたりすることが防止される。
【００２１】
さらに、本発明の包装箱では、上記特許文献３のようなカバー部ならびに当該カバー部の固定手段（差し込み片および差し込み口）を採用していないので、製造コストの上昇を抑制することが可能になる。
【００２２】
ところで、前記前板の下辺から前記倒れの起点位置までの高さが、収納対象となる商品の高さと同じまたは近似値に設定されている、構成とすることができる。
【００２３】
なお、前記近似値とは、前記商品の高さよりも僅かに小さい値や、前記商品の高さよりも僅かに大きい値も含むことを意味している。
【００２４】
ここでは、前記のように前記前板の上側部位と前記左側板および前記右側板の各上側部位の一部とを倒したときに、当該前板を前記商品の上面に当接または若干のクリアランスを介して対向させるための構成を特定している。
【００２５】
また、前記前板の上辺から下側に所定間隔離れた位置には、左右方向に沿う折り目が設けられており、前記左側板および前記右側板の各上側部位には、前記前板の折り目の左端および右端から前記背板側へ向けて斜め上向きに延びる傾斜折り目が設けられており、前記前板の上辺から前記折り目までの距離は、前記前板の内面から前記背板の内面までの間隔よりも小さく設定されている、構成とすることができる。
【００２６】
ここでは、前記前板の上側部位と前記左側板および前記右側板の各上側部位の一部とを倒す際に、倒し易くするための折り目を設けるとともに、例えばシート付き商品を収納する際に、前記シートに前記前板の上辺を干渉させないようにするための隙間が存在することを明確にしている。
【００２７】
また、前記背板は、前記前板の上辺よりも上に張り出す大きさに設定されており、前記左側板および前記右側板の各上側部位において前記背板寄りには、それぞれ前記前板の上辺よりも上に張り出して前記背板と連接される張り出し部が設けられている、構成とすることができる。
【００２８】
この構成では、前記背板において前記前板よりも上に張り出す部位と、前記左側板および前記右側板の各張り出し部とによって、前記包装箱の上開口における前記背板側の剛性が向上するようになる。
【００２９】
これにより、前記包装箱の上開口が、ストレートタッグカートンと呼ばれる包装箱のように蓋で完全に閉塞されていなくても、前記包装箱の上開口付近に外力が付加されたときに変形しにくくなる。
【発明の効果】
【００３０】
本発明に係る包装箱は、製造コストの抑制を図りながらも、収納する商品のがたつきを防止することが可能になるとともに、シート付の商品を収納する場合に前記シートの変形を防止することが可能になる。
【００３１】
また、本発明に係る包装箱は、該包装箱中に商品を収納し組み立てる（梱包する）作業工程が少なく極めて容易に行えることから、従来の作業工程が多い包装箱と対比して作業効率が格段に優れる。
【図面の簡単な説明】
【００３２】
【図１】本発明に係る包装箱の一実施形態の外観を示す斜視図である。
【図２】図１の包装箱に商品を入れて前板を内向きに倒した状態を示す斜視図である。
【図３】図２の状態からロック板を倒してロックした状態を示す斜視図である。
【図４】図３の状態を上から見た図である。
【図５】図１の包装箱の底部を示す図である。
【図６】図１の包装箱を平面展開した図である。
【図７】図１の状態の包装箱の側面図である。
【図８】図２の状態の包装箱の側面図である。
【図９】図８の状態からロック板を倒す途中の状態を示す側面図である。
【図１０】図３の状態の包装箱の側面図である。
【発明を実施するための形態】
【００３３】
以下、本発明を実施するための最良の実施形態について添付図面を参照して詳細に説明する。
【００３４】
図１から図１０に、本発明の一実施形態を示している。図中、１は商品、２は包装箱を示している。
【００３５】
商品１は、例えば縦長円柱形であって、円筒形の容器１ａの上部に有底円筒形の蓋１ｂが開閉可能に装着された構成になっている。この商品１の形状については、特に限定されるものではなく、例えばチューブ形状や、断面が三角形、四角形、五角形の容器など、任意とすることができる。
【００３６】
この商品１には、商品名称や説明文を記載したシート１ｃが貼着されている。このシート１ｃは、公知のポップ（Point of Purchase）シートまたはポップラベルと呼ばれるものであって、その下側部分が商品１の外周面に貼着されて、上側部分が商品１の上部から上向きに突き出した状態にされるように使用される。
【００３７】
包装箱２は、前板３と左側板４と右側板５と背板６とで囲まれる角筒形に形成されており、その上開口７から商品１が出し入れされるようになっている。
【００３８】
具体的に、包装箱２は、１枚の板紙（コートボール）１００を図６に示すように所定形状に打ち抜いてから、第１〜第４折り曲げ線１０２〜１０５で折り曲げるとともに、左側板４に連接される貼着片１０１を背板６に適宜の接着剤で貼着することにより、組み立てられる。
【００３９】
この包装箱２の下開口（図示、符号省略）は、前側底面板８と背側底面板９と左フラップ１０と右フラップ１１とを第５〜第８折り曲げ線１０６〜１０９で折り曲げるとともに前側底面板８と背側底面板９との各一部を重ね合わせることにより閉塞されるようになっている。
【００４０】
また、前板３の上側部位と、左側板４および右側板５の各上側部位の一部とが、内向きに倒されることによって、上開口７を覆うことが可能となるように形成されている。
【００４１】
具体的に、前板３は、平面視で矩形に形成されており、前板３の上辺から下側に所定間隔離れた位置には、左右方向に沿う折り目３ａが設けられている。
【００４２】
前板３の上辺から折り目３ａまでの長さ２１は、図４に示すように、前板３の内面から背板６の内面までの間隔２２よりも小さく設定されている。これにより、前板３の上側部位と左側板４および右側板５の各上側部位の一部とを倒したときには、図４および図８に示すように、前板３の上辺と背板６の内面との間に隙間１２が設けられるようになる。また、前板３の下辺から折り目（倒れの起点位置に相当）までの高さ２３は、収納対象となる商品１の高さ２５と同じまたは近似値に設定されている。
【００４３】
背板６は、前板３の上辺よりも上に張り出す大きさに設定されている。この実施形態では、背板６の高さ２４は、シート付き商品１の容器１ａの底面からシート１ｃの上端までの寸法（全長寸法と言う）と同じかまたは僅かに大きく設定されている。
【００４４】
左側板４および右側板５の各上側部位には、前板３の折り目３ａの左端および右端から背板６側へ向けて斜め上向きに延びる傾斜折り目４ａ，５ａが設けられている。
【００４５】
左側板４および右側板５の各上側部位において背板６寄りには、前板３の上辺よりも上に張り出して背板６と連接される張り出し部４ｂ，５ｂが設けられている。このような張り出し部４ｂ，５ｂを設けていれば、包装箱２の上開口７における背板６側の剛性が向上するようになるので、包装箱２の上開口７が、ストレートタッグカートンと呼ばれる包装箱のように蓋で完全に閉塞されていなくても、包装箱２の上開口７付近に外力が付加されたときに変形しにくくなる。
【００４６】
また、背板６の上辺には、当該背板６の内面に対向する位置まで内向きに折り畳むことが可能なロック板６ａが上向きに突き出すように連接されている。
【００４７】
このロック板６ａの先端辺には、押さえ片６ｂと、係止片６ｃ，６ｄとが設けられている。押さえ片６ｂは、ロック板６ａの先端辺の幅方向（左右方向）の中間部位に設けられている。係止片６ｃ，６ｄは、ロック板６ａの先端辺において、押さえ片６ｂの左右両側に設けられている。
【００４８】
なお、前板３と左側板４および右側板５の各一部とが倒された状態においてさらにロック板６ａが折り畳まれた状態において、既に倒された状態の前板３の外面に押さえ片６ｂが当接することで折り曲げられてから、係止片６ｃ，６ｄが隙間１２に入り込んで既に倒された状態の前板３の上辺に引っ掛けられるようになる。
【００４９】
次に、包装箱２に商品１を収納してから、包装箱２の上開口７を閉塞する際の手順を説明する。
【００５０】
まず、包装箱２内にシート付の商品１を収納するにあたっては、シート１ｃを背板６側に配置するような形態にする。
【００５１】
この後、前板３の上側部位と左側板４および右側板５の各上側部位の一部とを、図２および図８に示すように、内向きに倒す。
【００５２】
このとき、前板３と左側板４および右側板５との連接部位である角部の上側部位をそれぞれ逆向きに凹ませるように押し込むと、前板３が略９０度内向きに倒される一方で、左側板４および右側板５において各傾斜折り目４ａ，５ａより各上側部位が略１８０度内向きに折り畳まれることになって、当該各上側部位の内面が左側板４および右側板５において各傾斜折り目４ａ，５ａよりも各下側部位の内面に当接または僅かなクリアランスを介して対向させられるようになる。
【００５３】
このような状態にすると、図２に示されているように、倒された前板３の内面が商品１の上面に当接または適宜のクリアランスを介して対向する状態になる。これにより、商品１ががたつきにくくなるとともに、飛び出しにくくなる。
【００５４】
しかも、シート１ｃが隙間１２内に配置されることになって、前板３がシート１ｃに干渉しなくなる。これにより、シート１ｃが従来例で説明したように折り曲げられたり、変形されたりすることが防止されるようになる。
【００５５】
この後、図３および図１０に示すように折り畳み線６ｅを山折りすることによりロック板６ａを略１８０度折り畳むと、当該ロック板６ａの押さえ片６ｂが折り曲げられることになって前板３の外面を上から押さえつけるようになるとともに、係止片６ｃ，６ｄが隙間１２内に入り込んで前板３の上辺に引っ掛けられるようになる。これにより、商品１のがたつきと飛び出しを防ぐ効果が増すようになる。
【００５６】
このロック板６ａを折り畳む過程では、図９に示すように、押さえ片６ｂが、既に倒されている前板３の外面に押し付けられることによって折り曲げ線６ｆが徐々に谷折りされるようになる。このように押さえ片６ｂは自然に略９０度折り曲げられるようになっている。
【００５７】
これにより、前板３の上側部位と左側板４および右側板５の各上側部位の一部とが元の姿勢に戻りにくくなるので、商品１のがたつきと飛び出しとを防ぐ効果が増すようになる。しかも、例えば包装箱２が上下逆さまにされたときでも、前板３の上側部位と左側板４および右側板５の各上側部位の一部とが元の姿勢に戻りにくくなるので、商品１の保持性が向上する。
【００５８】
このように、前板３に折り目３ａを設けるとともに左側板４および右側板５に各傾斜折り目４ａ，５ａを設けたうえで、前記したように前板３と左側板４および右側板５との連接部位である角部の上側部位を押し込み操作すれば、前板３の上側部位と左側板４および右側板５の各上側部位の一部とを、比較的小さな力でもって内向きに倒すことが可能になる。
【００５９】
以上説明したように、本発明を適用した実施形態の包装箱２によれば、収納する商品１のがたつきを防止することが可能になるとともに、シート１ｃ付の商品１を収納する場合にシート１ｃの変形を防止することが可能になる。
【００６０】
また、この実施形態の包装箱２は、上述したように包装箱２中に商品１を収納して組み立てる（梱包する）作業工程が少なく極めて容易に行えることから、従来の作業工程が多い包装箱と対比して作業効率が格段に優れるなど、製造コストの上昇を抑制することが可能になる。
【００６１】
さらに、この実施形態の包装箱２では、上記特許文献３のようなカバー部ならびに当該カバー部の固定手段（差し込み片および差し込み口）を採用していないので、この点からも製造コストの上昇を抑制することが可能になる。
【００６２】
なお、本発明は、上記実施形態のみに限定されるものではなく、特許請求の範囲内および当該範囲と均等の範囲内で適宜に変更することが可能である。
【００６３】
（１）上記実施形態では、ロック板６ａを背板６の幅方向中間部位に設けた例を挙げているが、本発明はこれのみに限定されるものではない。図示していないが、例えばロック板６ａを背板６の幅方向いずれか一方に片寄せて設けることが可能である。
【００６４】
（２）上記実施形態では、包装箱２を長方形の角筒形にした例を挙げているが、本発明はこれのみに限定されるものではなく、包装箱２を例えば正方形の角筒形にすることも可能である。
【００６５】
（３）上記実施形態では、包装箱２に、シート１ｃ（ポップシート）を商品１の外周面に貼着した形態のものを入れた例を挙げているが、本発明はこれに限定されるものではなく、例えば厚紙台紙に商品が保持されている形態のもの、商品が保管された商品箱自体に上向けに突き出しているポップシート（またはポップラベル）を有している形態のもの、などにも応用可能である。
【産業上の利用可能性】
【００６６】
本発明は、前板と左側板と右側板と背板とで囲まれる角筒形に形成されかつ上開口から商品が出し入れされる構成の包装箱に好適に利用することが可能である。
【符号の説明】
【００６７】
１  商品
１ａ  容器
１ｂ  蓋
１ｃ  シート
２  包装箱
３  前板
３ａ  折り目（倒れの起点位置に相当）
４  左側板
４ａ  傾斜折り目
４ｂ  張り出し部
５  右側板
５ａ  傾斜折り目
５ｂ  張り出し部
６  背板
６ａ  ロック板
６ｂ  押さえ片
６ｃ，６ｄ  係止片
６ｅ  折り畳み線
６ｆ  折り曲げ線
７  上開口
８  前側底面板
９  背側底面板
１０  左フラップ
１１  右フラップ
１２  隙間
２１  前板３の上辺から折り目３ａまでの長さ
２２  前板３の内面から背板６の内面までの間隔
２３  前板３の下辺から折り目までの高さ
２４  背板６の高さ
２５  商品１の高さ
１００  板紙
１０１  貼着片
【図１】
2018083643.tif 000003
【図２】
2018083643.tif 000004
【図３】
2018083643.tif 000005
【図４】
2018083643.tif 000006
【図５】
2018083643.tif 000007
【図６】
2018083643.tif 000008
【図７】
2018083643.tif 000009
【図８】
2018083643.tif 000010
【図９】
2018083643.tif 000011
【図１０】
2018083643.tif 000012